(57)【特許請求の範囲】
【請求項１】
登録される複数のオーナーの電子楽器の情報を提供して特定のオーナーの電子楽器の遠隔操作を選択可能な選択部と、
該電子楽器に接続され、ＭＩＤＩデータに基づいて前記電子楽器を自動演奏させることにより自動演奏音を発生させ、前記自動演奏音と同期して自動録音した録音データを生成すると共に、前記録音データ、及び前記自動演奏音と同期して所定のリズムを有するリズムガイドを組み合わせた組み合わせデータを生成する制御部と、
前記ＭＩＤＩデータを、ユーザーの端末から受信して前記制御部に送信可能であり、かつ、前記録音データ及び前記組み合わせデータを、前記制御部から受信して前記端末によって受信されることが可能である、又は前記制御部から受信して前記端末に送信可能な受送信部と、
を備える、ことを特徴とする音データ生成システム。
【請求項２】
前記制御部は、
前記電子楽器が自動演奏を開始する自動演奏の開始のタイミング前に所定拍のカウントインを付加することがユーザーによって選択された場合には、
前記録音データの先頭に前記カウントインの分の無音データを形成すると共に、
前記リズムガイドの開始のタイミングを、前記カウントインの開始のタイミングに設定する、ことを特徴とする請求項１に記載の音データ生成システム。
【請求項３】
前記制御部は、
前記電子楽器が自動演奏する曲が裏拍でリズムを取る曲である場合には、
前記リズムガイドの開始のタイミングを、半拍早いタイミングに設定する、ことを特徴とする請求項１又は請求項２に記載の音データ生成システム。
【請求項４】
ユーザーの端末からオーナーの電子楽器に送信したＭＩＤＩデータに基づいて前記電子楽器を自動演奏させることにより自動演奏音を発生させ、前記自動演奏音と同期して自動録音した録音データを生成すると共に、前記録音データ、及び前記自動演奏音と同期して所定のリズムを有するリズムガイドを組み合わせた組み合わせデータを生成する制御過程をコンピュータに実行させる、ことを特徴とする音データ生成プログラム。
【請求項５】
登録される複数のオーナーの電子楽器のうちの特定のオーナーの電子楽器の遠隔操作を選択する過程と、
ＭＩＤＩデータを、ユーザーの端末から受信して前記電子楽器に送信する過程と、
前記ＭＩＤＩデータに基づいて前記電子楽器を自動演奏させることにより自動演奏音を発生させ、前記自動演奏音と同期して自動録音した録音データを生成すると共に、前記録音データ、及び前記自動演奏音と同期して所定のリズムを有するリズムガイドを組み合わせた組み合わせデータを生成する制御過程と、
前記録音データ及び前記組み合わせデータを、前記端末によって受信され、又は前記端末に送信する過程と、
を備える、ことを特徴とする音データ生成方法。
【発明の詳細な説明】
【技術分野】
【０００１】
本発明は、音データ生成システム、音データ生成プログラム、及び音データ生成方法に関する。
【背景技術】
【０００２】
従来、第１の電子楽器と別の場所にある第２の電子楽器とを公衆通信網を経由して接続し、第１の電子楽器から第２の電子楽器へとＭＩＤＩデータを送信する技術が特許文献１に開示されている。また、この特許文献１に記載の技術では、携帯電話端末によって、ＭＩＤＩデータが送信された第２の電子楽器を遠隔操作して演奏のスタートストップをすることができる。
【先行技術文献】
【特許文献】
【０００３】
【特許文献１】特開２００１−１００７４２号公報
【発明の概要】
【発明が解決しようとする課題】
【０００４】
ここで、例えば、第２の電子楽器として良質な音質を有する高価な電子楽器を使用して、この第２の電子楽器で演奏される演奏音に対して、更に別の第３の電子楽器で演奏される演奏音等を組み合わせる場合に、第２の電子楽器で演奏される演奏開始のタイミングに、第３の電子楽器で演奏される演奏開始のタイミングを合わせることが難しい場合がある。
【０００５】
本発明は、このような従来の課題を解決するためになされたものであり、その発明の目的とするところは、ユーザーが、ＭＩＤＩデータに基づいて特定の電子楽器の演奏音を取得した場合に、その演奏音に他の楽器の演奏音又は人の音声を合わせ易くして音楽を制作することができる音データ生成システム、音データ生成プログラム、及び音データ生成方法を提供することにある。
【課題を解決するための手段】
【０００６】
本発明に係る音データ生成システムは、登録される複数のオーナーの電子楽器の情報を提供して特定のオーナーの電子楽器の遠隔操作を選択可能な選択部と、該電子楽器に接続され、ＭＩＤＩデータに基づいて前記電子楽器を自動演奏させることにより自動演奏音を発生させ、前記自動演奏音と同期して自動録音した録音データを生成すると共に、前記録音データ、及び前記自動演奏音と同期して所定のリズムを有するリズムガイドを組み合わせた組み合わせデータを生成する制御部と、前記ＭＩＤＩデータを、ユーザーの端末から受信して前記制御部に送信可能であり、かつ、前記録音データ及び前記組み合わせデータを、前記制御部から受信して前記端末によって受信可能である、又は前記制御部から受信して前記端末に送信可能な受送信部と、を備える、ことを特徴とする。
【０００７】
本発明に係る音データ生成プログラムは、ユーザーの端末からオーナーの電子楽器に送信したＭＩＤＩデータに基づいて前記電子楽器を自動演奏させることにより自動演奏音を発生させ、前記自動演奏音と同期して自動録音した録音データを生成すると共に、前記録音データ、及び前記自動演奏音と同期して所定のリズムを有するリズムガイドを組み合わせた組み合わせデータを生成する制御過程をコンピュータに実行させる、ことを特徴とする。
【０００８】
本発明に係る音データ生成方法は、登録される複数のオーナーの電子楽器のうちの特定のオーナーの電子楽器の遠隔操作を選択する過程と、ＭＩＤＩデータを、ユーザーの端末から受信して前記電子楽器に送信する過程と、前記ＭＩＤＩデータに基づいて前記電子楽器を自動演奏させることにより自動演奏音を発生させ、前記自動演奏音と同期して自動録音した録音データを生成すると共に、前記録音データ、及び前記自動演奏音と同期して所定のリズムを有するリズムガイドを組み合わせた組み合わせデータを生成する制御過程と、前記録音データ及び前記組み合わせデータを、前記端末によって受信され、又は前記端末に送信する過程と、を備える、ことを特徴とする。
【０００９】
本発明の音データ生成システム等によれば、ＭＩＤＩデータに基づいて電子楽器を自動演奏させて自動演奏音を発生させ、この自動演奏音を録音した録音データ、及びこれと組み合わされるリズムガイドを取得することができる。ユーザーは、リズムガイドにタイミングを合わせながら他の楽器を演奏し、又は歌を歌うことができる。その結果、ユーザーが、ＭＩＤＩデータに基づいて特定の電子楽器の演奏音を取得した場合に、その演奏音に他の楽器の演奏音又は人の音声を合わせ易くして音楽を制作することができる。
【発明の効果】
【００１０】
本発明によれば、ユーザーが、ＭＩＤＩデータに基づいて特定の電子楽器の演奏音を取得した場合に、その演奏音に他の楽器の演奏音又は人の音声を合わせ易くして音楽を制作することができる。
【図面の簡単な説明】
【００１１】
【図１】本発明の実施形態に係る制御部を備える音データ生成システムの概念図である。
【図２】（ａ）リズムガイド付きデータにユーザーの歌声及びユーザーのギター音をのせる音楽制作に関する説明図である。（ｂ）リズムガイド無しデータにユーザーの歌声及びユーザーのギター音をのせる音楽制作に関する説明図である。
【図３】（ａ）ユーザーの歌声、ユーザーのギター音、オーナーの電子ピアノ音、カウントインを追加する前のリズムガイドの組み合わせのタイミングを示す概念図である。（ｂ）ユーザーの歌声、ユーザーのギター音、オーナーの電子ピアノ音、カウントインを追加した後のリズムガイドの組み合わせのタイミングを示す概念図である。
【図４】（ａ）ユーザーの歌声、ユーザーのギター音、オーナーの電子ピアノ音、調整拍を追加する前のリズムガイドの組み合わせのタイミングを示す概念図である。（ｂ）ユーザーの歌声、ユーザーのギター音、オーナーの電子ピアノ音、調整拍を追加した後のリズムガイドの組み合わせのタイミングを示す概念図である。
【図５】本発明の変形例に係る制御部を備える音データ生成システムの概念図である。
【発明を実施するための形態】
【００１２】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１３】
図１は、本発明の実施形態に係る音データ生成システム１の概念図である。音データ生成システム１は、ＭＩＤＩデータ提供サーバー５と、端末２０と、遠隔操作サーバー３０と、演奏録音サーバー５０と、電子ピアノ６０（電子楽器）と、を備える。ＭＩＤＩデータ提供サーバー５と端末２０との間、端末２０と遠隔操作サーバー３０との間、遠隔操作サーバー３０と演奏録音サーバー５０との間は、インターネット１００を介して接続される。
【００１４】
［ユーザーの端末］
ユーザーＡの端末２０は、操作部２０ａと、端末制御部２０ｂと、を有する。端末２０は、インターネット１００に接続されたコンピュータのうち、主にユーザー側が使う機器（スマートフォン、タブレットパソコン、パソコン等）のことをいい、本実施形態では、端末２０として、スマートフォンが用いられる。
操作部２０ａは、端末制御部２０ｂの駆動を操作する部分である。
端末制御部２０ｂは、ユーザーＡによる操作部２０ａの操作により、ＭＩＤＩデータ提供サーバー５と、遠隔操作サーバー３０と、オーナーＢの演奏録音サーバー５０と、の関係において以下の制御を行う。
【００１５】
端末制御部２０ｂは、ＭＩＤＩデータ（演奏情報）を、矢印Ｊ１のようにＭＩＤＩデータ提供サーバー５から受信する。ＭＩＤＩデータ提供サーバー５には種々の音楽のＭＩＤＩデータ（演奏情報）が登録してあり、ユーザーＡが操作部２０ａを操作することにより、特定のＭＩＤＩデータ（演奏情報）を取得することができるようになっている。端末制御部２０ｂは、ＭＩＤＩデータ（演奏情報）を、矢印Ｊ２のように遠隔操作サーバー３０に送信する。ここで用いられるＭＩＤＩデータは、演奏情報（発音せよ、音の高さは、音の大きさは、といった楽器や音源のメッセージ）である。ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）は、電子楽器の演奏データを機器間で転送及び共有するための共通規格である。
【００１６】
また、端末制御部２０ｂは、録音データ（音声データ）を、矢印Ｊ７のように遠隔操作サーバー３０から受信する。ここでいう録音データは、音声データ（マイク等で録音した音の波形をサンプリングしたもの）である。
【００１７】
［遠隔操作サーバー］
遠隔操作サーバー３０は、遠隔操作制御部３０ａと、選択部３０ｂと、受送信部３０ｃと、を有する。
遠隔操作制御部３０ａには、複数のユーザーＡのアカウント、複数のオーナーのアカウントが作成されている。そして、遠隔操作制御部３０ａは、電子楽器、ＭＩＤＩインターフェース、及びオーディオインターフェースの情報が登録される。遠隔操作制御部３０ａは、電子楽器を貸したい複数のオーナーの各々が所有する電子楽器、ＭＩＤＩインターフェース、及びオーディオインターフェースの情報を、遠隔操作制御部３０ａに内容データが置かれているウェブサイト上に表示させ、ユーザーＡは、端末２０の操作部２０ａを操作することにより端末２０の画面上でそれらの情報を閲覧したり確認したりすることができる。
【００１８】
選択部３０ｂは、登録される複数のオーナーの電子楽器のうちの特定のオーナーＢの電子楽器をユーザーＡが借りるための選択を可能にする部分であり、ユーザーＡは、端末２０の操作部２０ａを操作することにより端末２０の画面上で自分が借りたい複数の電子楽器を確認することができる。本実施形態では、ユーザーＡは、オーナーＢの電子ピアノ６０を選択する場合を例示する。
【００１９】
受送信部３０ｃは、ＭＩＤＩデータ（演奏情報）を、矢印Ｊ２のようにユーザーＡの端末２０の端末制御部２０ｂから受信して矢印Ｊ３のようにオーナーＢの演奏録音サーバー５０及び電子ピアノ６０に送信可能である。受送信部３０ｃは、後述の録音データ（音声データ）及び後述の組み合わせデータＥ１を矢印Ｊ６のようにオーナーＢの演奏録音サーバー５０から受信し、矢印Ｊ７のようにユーザーＡの端末２０の端末制御部２０ｂに受信（ダウンロード）されることが可能である。
【００２０】
［オーナー側］
オーナーＢは、演奏録音サーバー５０及び電子ピアノ６０を所有している。この電子ピアノ６０の音色は、種々の電子ピアノ毎に異なる。そのため、ユーザーＡは、どの電子ピアノを使用するか、あるいはどの電子楽器を使用するかを考慮することになる。
演奏録音サーバー５０は、電子ピアノ６０に接続されており、インターネット１００を介して遠隔操作サーバー３０にも接続されている。演奏録音サーバー５０としては、例えば、Ｌｉｎｕｘ（登録商標）を導入したパソコンを用いても良いし、あるいはＬｉｎｕｘを導入したラズベリーパイ（Ｒａｓｐｂｅｒｒｙ  Ｐｉ）（登録商標）（一例としてＲａｓｐｂｅｒｒｙ  Ｐｉ３）を用いても良い。
【００２１】
演奏録音サーバー５０は、演奏録音制御部５０ａ（制御部）を有する。演奏録音制御部５０ａは、定期的に、遠隔操作サーバー３０に接続して、ユーザーＡから録音依頼があるかを確認する。演奏録音制御部５０ａは、オーナーＢの電子ピアノ６０のＭＩＤＩインターフェースと接続されており、ユーザーＡの録音依頼がある場合には、矢印Ｊ４のようにＭＩＤＩデータ（演奏情報）をオーナーＢの電子ピアノ６０に送信する。そして、演奏録音制御部５０ａは、ＭＩＤＩデータ（演奏情報）に基づいてオーナーＢの電子ピアノ６０を自動演奏させる。演奏録音制御部５０ａは、オーナーＢの電子ピアノ６０のオーディオインターフェースと接続されており、矢印Ｊ５のように自動演奏音のデータを受信して、録音データ（音声データ）として保有する。
【００２２】
演奏録音制御部５０ａは、その自動演奏音と同期して自動録音した録音データを生成する。これと同時に、演奏録音制御部５０ａは、その自動演奏音と同期して所定のリズムを有する後述のリズムガイドＱを録音データに組み合わせた後述の組み合わせデータＥ１を生成する（図２（ａ）参照）。所定のリズムといった場合には、メトロノームのように一分当たりに何拍設けるかという風な一定時間毎の音の並びのリズムの他、強勢のある音節が時間的にほぼ等間隔に繰り返される強勢リズム、各音節が時間的にほぼ等間隔で現れる音節リズムも含まれる。例えば、音と音との時間間隔が同じリズムの他、音と音との時間間隔が異なっても小節毎に同じ音の繰り返しとなるリズムも含まれる。
【００２３】
この演奏録音制御部５０ａによる前述の録音データの生成及び前述の組み合わせデータＥ１の生成工程は、プログラム化されており、コンピュータに実行させることが可能な音データ生成プログラムとして形成されている。演奏録音制御部５０ａは、矢印Ｊ６のように録音データ（音声データ）及び組み合わせデータＥ１を遠隔操作サーバー３０に送信し、遠隔操作サーバー３０にアップロードする。なお、演奏録音制御部５０ａは、前述の音データ生成プログラムを、遠隔操作サーバー３０からダウンロードして保有するようにされていても良い。
【００２４】
ユーザーＡは、端末２０の端末制御部２０ｂにより遠隔操作サーバー３０の遠隔操作制御部３０ａ及びオーナーＢの演奏録音サーバー５０の演奏録音制御部５０ａを制御するので、実質的に、ユーザーＡが、オーナーＢの電子ピアノ６０にＭＩＤＩデータ（演奏情報）を送信して、電子ピアノ６０を自動演奏させ、その自動演奏音を録音して、録音データを回収することになる。
【００２５】
図２（ａ）は、リズムガイドＱ付きの組み合わせデータＥ１にユーザーＡの歌声Ｒ及びユーザーＡのギター音Ｓをのせる音楽制作に関する説明図である。図２（ｂ）は、リズムガイドＱ無しの単独データＥ２にユーザーＡの歌声Ｒ及びユーザーＡのギター音Ｓをのせる音楽制作に関する説明図である。演奏録音サーバー５０は、遠隔操作サーバー３０からオーナーＢの電子ピアノ６０の録音データ（音声データ）（ここでは電子ピアノ音Ｐ）を受信する。また、演奏録音サーバー５０は、録音データに対応するリズムガイドＱを作成する。そして、演奏録音サーバー５０は、遠隔操作サーバー３０に対して、録音データ及びリズムガイドＱを組み合わせた組み合わせデータＥ１を送信する。それから、ユーザーＡが決済した後に、演奏録音サーバー５０は、遠隔操作サーバー３０に対して、録音データ単独の単独データＥ２を追加して送信する。
【００２６】
そして、ユーザーＡは、ユーザーＡの歌声Ｒのパートの録音時には、リズムガイドＱ付きの組み合わせデータＥ１を用いて録音する。同様に、ユーザーＡは、ギター音Ｓのパートの録音時には、リズムガイドＱ付きの組み合わせデータＥ１を用いて録音する。端末２０の端末制御部２０ｂは、オーナーＢの電子ピアノ６０の録音データと、リズムガイドＱと、ユーザーＡの歌声Ｒと、ユーザーＡのギター音Ｓと、を組み合わせる。それから、ユーザーＡは、組み合わせデータＥ１を単独データＥ２に差し替えることにより、リズムガイドＱを無くしてパート毎のずれがない音楽を制作することができる。なお、この差し替えは、例えば、操作部２０ａを操作して端末制御部２０ｂを制御することによって行う。
【００２７】
図３（ａ）は、オーナーＢの電子ピアノ音Ｐ、カウントインを追加する前のリズムガイドＱ、ユーザーＡの歌声Ｒ、ユーザーＡのギター音Ｓの組み合わせのタイミングを示す概念図である。図３（ｂ）は、オーナーＢの電子ピアノ音Ｐ、カウントインを追加した後のリズムガイドＱ、ユーザーＡの歌声Ｒ、ユーザーＡのギター音Ｓの組み合わせのタイミングを示す概念図である。
【００２８】
例えば、演奏録音制御部５０ａは、電子ピアノ６０が自動演奏を開始する自動演奏の開始のタイミング前に所定のカウントインを追加することがユーザーＡによって選択された場合には、図３（ａ）に示されるように、曲の開始前のカウントインが第１所定拍Ｘ１（本実施形態では２拍）必要であって、曲の開始後のカウントインが第２所定拍Ｘ２（本実施形態では２拍）必要であることを認識する。
【００２９】
これに対応して、リズムガイドＱは、曲の開始後のカウントインの第２所定拍Ｘ２に相当する部分Ｑ１（本実施形態では２拍）を含んでいるが、曲の開始前のカウントインの第１所定拍Ｘ１に相当する部分Ｙ１（本実施形態では２拍）が不足している。そのため、演奏録音制御部５０ａは、図３（ｂ）に示されるように、リズムガイドＱの開始のタイミングをカウントインの開始のタイミングに設定する（すなわちリズムガイドＱの先頭に追加拍Ｑ２を追加する）ことにより、リズムガイドＱを前に延長する。この結果、リズムガイドＱに元から含まれた部分Ｑ１と、リズムガイドＱに後から追加された追加拍Ｑ２と、により、カウントインが構成される。
【００３０】
図４（ａ）は、オーナーＢの電子ピアノ音Ｐ、調整拍Ｑ３を追加する前のリズムガイドＱ、ユーザーＡの歌声Ｒ、ユーザーＡのギター音Ｓの組み合わせのタイミングを示す概念図である。図４（ｂ）は、オーナーＢの電子ピアノ音Ｐ、調整拍Ｑ３を追加した後のリズムガイドＱ、ユーザーＡの歌声Ｒ、ユーザーＡのギター音Ｓの組み合わせのタイミングを示す概念図である。
【００３１】
例えば、演奏録音制御部５０ａは、電子ピアノ音Ｐが自動演奏する曲が裏拍でリズムを取る曲である場合には、図４（ａ）に示されるように、曲の開始と拍の頭との間にずれＺ１が生じる。そのために、拍のタイミングとリズムガイドＱのタイミングとの間にもずれＺ１が生じる。なお、裏拍でリズムを取る音楽には、例えば、ロック、ジャズ、レゲエ、ヒップホップ等がある。
【００３２】
それにも関わらず、リズムガイドＱは、曲の開始後の半拍分早く開始している。そのため、演奏録音制御部５０ａは、図４（ｂ）に示されるように、リズムガイドＱの開始のタイミングを、曲の開始のタイミングに設定する（すなわちリズムガイドＱの先頭に調整拍Ｑ３を追加する）ことにより、リズムガイドＱを前に延長する。
【００３３】
次に、前述した音データ生成システム１の動作について説明する。例えば、ユーザーＡは、端末２０の操作部２０ａを操作して、ＭＩＤＩデータ提供サーバー５にアクセスする。ユーザーＡは、操作部２０ａを操作して、ＭＩＤＩデータ提供サーバー５に登録されている特定の音楽のＭＩＤＩデータをダウンロードして端末制御部２０ｂに取得する。
【００３４】
ユーザーＡは、次に、遠隔操作サーバー３０にアクセスする。遠隔操作サーバー３０には、複数のオーナーが貸与を目的として登録している複数の電子楽器がアップされている。これらの複数の電子楽器の各々は、オーナーによって電源オンに設定されている。ユーザーＡは、複数の電子楽器のいずれかである例えば電子ピアノ６０を選択し（電子楽器の選択過程）、その電子ピアノ６０に前述の特定の音楽に用いられている特定の楽器（例えば電子ピアノ）のＭＩＤＩデータを送信する（ＭＩＤＩデータの送信過程）。このときに、そのＭＩＤＩデータは、端末２０、遠隔操作サーバー３０、演奏録音サーバー５０の順に送信される。
【００３５】
演奏録音サーバー５０の演奏録音制御部５０ａは、ＭＩＤＩデータに基づいて電子ピアノ６０を自動演奏させると共に自動録音させる。演奏録音制御部５０ａは、電子ピアノ音Ｐ（録音データ）及びリズムガイドＱを組み合わせた組み合わせデータＥ１と、電子ピアノ音Ｐ（録音データ）の単独データＥ２とを生成する（制御過程）。
【００３６】
演奏録音制御部５０ａは、遠隔操作サーバー３０に組み合わせデータＥ１及び単独データＥ２の生成が完了したことをユーザーＡにメール送信により伝える（録音データ及び組み合わせデータＥ１のお知らせ過程）。ユーザーＡは、遠隔操作サーバー３０にアクセスして組み合わせデータＥ１をユーザーＡの端末２０にダウンロード（受信）することにより取得する。ユーザーＡは、この組み合わせデータＥ１にユーザーＡの歌声Ｒと、ユーザーＡのギター音Ｓと、を更に組み合わせる。そして、ユーザーＡは、それを試し聞きする。ユーザーＡは、試し聞きをした結果、その出来に満足した場合には、単独データＥ２を取得するために決済をする。
【００３７】
そうすると、演奏録音制御部５０ａは、単独データＥ２のダウンロード（受信）が可能であることをユーザーＡにメール送信により伝える。ユーザーＡは、遠隔操作サーバー３０にアクセスして単独データＥ２をユーザーＡの端末２０にダウンロード（受信）することにより取得する。ユーザーＡは、端末２０の操作部２０ａを操作して、組み合わせデータＥ１を単独データＥ２に差し替える。その結果、オーナーＢの電子ピアノ６０の電子ピアノ音Ｐと、ユーザーＡの歌声Ｒと、ユーザーＡのギター音Ｓと、が組み合わされた音楽（リズムガイドＱが無い音楽）を完成させることができる。
【００３８】
以上で述べたように、本実施形態に係る音データ生成システム１は、登録される複数のオーナーの電子楽器の情報を提供して特定のオーナーＢの電子ピアノ６０の遠隔操作を選択可能な選択部３０ｂと、電子ピアノ６０に接続され、ＭＩＤＩデータに基づいて電子ピアノ６０を自動演奏させることにより自動演奏音を発生させ、自動演奏音と同期して自動録音した電子ピアノ音Ｐを生成すると共に、電子ピアノ音Ｐ、及び自動演奏音と同期して所定のリズムを有するリズムガイドＱを組み合わせた組み合わせデータＥ１を生成する演奏録音制御部５０ａと、ＭＩＤＩデータをユーザーＡの端末２０から受信して演奏録音制御部５０ａに送信可能であり、かつ、電子ピアノ音Ｐ及び組み合わせデータＥ１を、演奏録音制御部５０ａから受信して端末２０によって受信されることが可能である受送信部３０ｃと、を備える。
【００３９】
こうした構成によれば、ＭＩＤＩデータに基づいて電子ピアノ６０を自動演奏させて自動演奏音を発生させ、この自動演奏音を録音した電子ピアノ音Ｐ、及びこれと組み合わされるリズムガイドＱを取得することができる。ユーザーＡは、リズムガイドＱにタイミングを合わせながら他の楽器を演奏し、又は歌を歌うことができる。その結果、ユーザーＡが、ＭＩＤＩデータに基づいて特定の電子ピアノ６０の演奏音を取得した場合に、その演奏音に他の楽器の演奏音又は人の音声を合わせ易くして音楽を制作することができる。
【００４０】
また、本実施形態に係る音データ生成システム１では、演奏録音制御部５０ａは、電子ピアノ６０が自動演奏を開始する自動演奏の開始のタイミング前に所定拍のカウントインを付加することがユーザーＡによって選択された場合には、電子ピアノ音Ｐの先頭にカウントインの分の無音データを形成すると共に、リズムガイドＱの開始のタイミングを、カウントインの開始のタイミングに設定する。こうした構成によれば、無音データ部分が確保されて、無音データ部分の最初からリズムガイドＱが形成されることになり、十分なカウントインの長さが確保される。
【００４１】
また、本実施形態に係る音データ生成システム１では、演奏録音制御部５０ａは、電子ピアノ６０が自動演奏する曲が裏拍でリズムを取る曲である場合には、リズムガイドＱの開始のタイミングを、半拍早い時間に設定する。こうした構成によれば、裏拍のタイミングにリズムガイドＱのタイミングを合わせることができる。
【００４２】
以上、実施形態に基づき本発明を説明したが、本発明は上記実施形態に限られるものではなく、本発明の趣旨を逸脱しない範囲で、変更を加えても良いし、可能な範囲で適宜他の技術を組み合わせても良い。
【００４３】
［変形例１］
本実施形態では、電子楽器として電子ピアノが使用されたが、上記実施形態に限定されず、電子オルガン、シンセサイザー、サンプラー、ドラムマシン、テルミン、電子ギター等が用いられても良い。
【００４４】
［変形例２］
本実施形態では、端末２０としてスマートフォンが用いられ、端末２０の端末制御部２０ｂがＭＩＤＩデータ提供サーバー５からＭＩＤＩデータを受信する構成であったが、上記実施形態に限定されなくても良い。例えば、図５に示されるように、端末２０としてパソコンが用いられ、ユーザーＡが電子ピアノ１０を弾いた音を矢印Ｊ１のように端末２０としてのパソコンに送信し、その音に基づいて端末２０としてのパソコンでＭＩＤＩデータを作成する構成であっても良い。なお、図５において、端末２０としてのパソコンは、操作部２０ａと、端末制御部２０ｂと、を有し、操作部２０ａの操作によって端末制御部２０ｂによる制御ができるように構成されている。
【００４５】
［変形例３］
本実施形態では、受送信部３０ｃは、録音データ（音声データ）及び組み合わせデータＥ１を、矢印Ｊ７のようにユーザーＡの端末２０の端末制御部２０ｂに受信（ダウンロード）されることが可能であったが、上記実施形態に限定されなくても良い。例えば、受送信部３０ｃは、録音データ（音声データ）及び組み合わせデータＥ１を、矢印Ｊ７のようにユーザーＡの端末２０の端末制御部２０ｂに送信可能に構成しても良い。この場合には、受送信部３０ｃは、メールで送信しても良く、ＳＮＳ（Ｓｏｃｉａｌ  Ｎｅｔｗｏｒｋｉｎｇ  Ｓｅｒｖｉｃｅ）により送信しても良い。
【符号の説明】
【００４６】
１          ：音データ生成システム
５          ：ＭＩＤＩデータ提供サーバー
１０，６０  ：電子ピアノ（電子楽器）
２０        ：端末
２０ａ      ：操作部
２０ｂ      ：端末制御部
３０        ：遠隔操作サーバー
３０ａ      ：遠隔操作制御部
３０ｂ      ：選択部
３０ｃ      ：受送信部
５０        ：演奏録音サーバー
５０ａ      ：演奏録音制御部（制御部）
１００      ：インターネット
Ａ          ：ユーザー
Ｂ          ：オーナー
Ｅ１        ：組み合わせデータ
Ｅ２        ：単独データ
Ｊ１，Ｊ２，Ｊ３，Ｊ４，Ｊ５，Ｊ６，Ｊ７      ：矢印
Ｐ          ：電子ピアノ音（録音データ）
Ｑ          ：リズムガイド
Ｑ１        ：部分
Ｑ２        ：追加拍
Ｑ３        ：調整拍
Ｒ          ：ユーザーの歌声
Ｓ          ：ユーザーのギター音
Ｘ１        ：第１所定拍
Ｘ２        ：第２所定拍
Ｙ１        ：部分
Ｚ１        ：ずれ
【要約】
【課題】ＭＩＤＩデータに基づく電子楽器の演奏音を取得した場合に、その演奏音に他の楽器の演奏音又は人の音声を合わせ易くして音楽を制作できる音データ生成システムを提供する。
【解決手段】音データ生成システム１は、複数のオーナーの電子楽器うちの特定のオーナーＢの電子ピアノ６０の遠隔操作を選択可能な選択部３０ｂと、電子ピアノ６０に接続され、ＭＩＤＩデータに基づいて電子ピアノ６０を自動演奏させ、自動演奏音と同期して自動録音した電子ピアノ音を生成すると共に、電子ピアノ音及び自動演奏音と同期して所定のリズムを有するリズムガイドを組み合わせた組み合わせデータを生成する演奏録音制御部５０ａと、ＭＩＤＩデータを、端末２０から受信して演奏録音制御部５０ａに送信可能で、電子ピアノ音及び組み合わせデータを、演奏録音制御部５０ａから受信して端末２０によって受信されることが可能である受送信部３０ｃと、を備える。
【選択図】図１【図１】
0006966738.tif 000002
【図２】
0006966738.tif 000003
【図３】
0006966738.tif 000004
【図４】
0006966738.tif 000005
【図５】
0006966738.tif 000006